(57)【要約】【課題】  平面状のシートに２つの図柄を立体パターンとして、同時に表現することができ、特に、真正面から見たときと、真上から見たときとでは異なった図柄を見ることができる立体表示シートを提供する。【解決手段】  水平面図柄２と垂直面図柄３とを立体的に表示させるために、切込線６、谷折線７、山折線８、および主折線９を設け、水平面図柄を表示する複数の水平面展開要素と、垂直面図柄を表示する複数の垂直面展開要素を備えた立体表示シート１を提供する。立体表示シート１の主折線９で上下２つに折り曲げることによって水平面図柄と垂直面図柄が立体的に表示される。【選択図】      図１
0003115536.tif 000002
【実用新案登録請求の範囲】
【請求項１】
切込線、谷折線、山折線、および主折線を設け、前記主折線で直角に折り曲げることによって水平面図柄と垂直面図柄とを突設形成させる立体表示シートであって、
前記立体表示シートは、前記水平面図柄を表示する複数の水平面展開要素と、前記垂直面図柄を表示する複数の垂直面展開要素を備え、
前記水平面展開要素は、前記２つの切込線で挟まれ、谷折線と山折線または図柄端部とで囲まれ、
前記垂直面展開要素は、前記２つの切込線で挟まれ、図柄端部または山折線と谷折線とで囲まれることを特徴とする立体表示シート。
【請求項２】
前記垂直面図柄は、カレンダーを形成することを特徴とする請求項１に記載の立体表示シート。
【請求項３】
前記水平面図柄および垂直面図柄は、異なる図柄で形成されることを特徴とする請求項１に記載の立体表示シート。
【請求項４】
前記主折線は、前記水平面図柄の幅と垂直面図柄の高さとを等分または所定比に分割することを特徴とする請求項１に記載の立体表示シート。
【考案の詳細な説明】
【技術分野】
【０００１】
本考案は、水平面図柄と垂直面図柄とを立体的に表示させるために、切込線、谷折線、山折線、および主折線を設け、この主折線で直角に折り曲げることによって図柄を水平面図柄と垂直面図柄とを突設形成させる立体表示シートに関する。
【背景技術】
【０００２】
従来、平面シート上に形成される折り畳み風景構造は、平面シート上に展開することができ、様々な立体形状を呈することができる。
【０００３】
図１０は、従来の実施例に係る折り畳みシートの構成図である。図１０に示すように、折り畳み風景構造１３０は、要素１３３の横方向の境界を定める複数のスリット１３２と、要素１３３がスリット１３２の間を延びる折り目１３４，１３５を有するシート１３１から構成される。
【０００４】
このシート１３１の水平面が箱１１０の底面１１１に固定され、このシート１３１の垂直面が蓋１２０の内面１２１に固定されて、箱１１０の底面１１１か、蓋１２０の内面１２１のいずれかに平行な少なくとも１つの平面を形成しつつ、要素１３３が空間に展開される。
【０００５】
折り畳み風景構造１３０は、一枚の平坦なシートから形成されており、平行平面に構成される各展開要素１３３上に所望の風景が作られている。このように、この折り畳み風景構造１３０は、箱１１０の底面１１１とこの箱１１０の頂部に折り畳まれる蓋１２０の内面１２１との双方に固定され、この折り畳み風景構造１３０は、蓋１２０を単に閉じることによって蓋１２０で閉ざされた箱１１０内に折り畳まれ、かつ蓋１２０を開くことによって展開される。このとき蓋１２０は、固定ピン１４４によって箱１１０に取り付けられ、固定ピン１４４は、蓋１２０が繰り返して開かれても、展開する風景構造と干渉しないように、にげ１３９が設けられている（例えば、特許文献１参照）。
【特許文献１】特表平１０−５０３１１２号公報（請求項１、図１）
【考案の開示】
【考案が解決しようとする課題】
【０００６】
しかしながら、この折り畳み風景構造は、折り畳みおよび展開ができる３次元の風景構造に関するものであり、１つの平面内に折り畳み風景を表示するもので、本考案のように、１枚のシート上に複数の図柄を同時に混在させ、真正面から見たときと、真上から見たときとでは異なった図柄を表示するようには作られていない。
【０００７】
そこで、本考案はこのような問題を解決するために創案されたものであり、水平面図柄と垂直面図柄とを形成する展開要素を１枚のシートに混在させ、このシートを主折線から折り曲げたときに、真正面から見たときと真上から見たときとでは異なった図柄を見ることができる立体表示シートを提供する。
【課題を解決するための手段】
【０００８】
本願の第１の考案は、切込線、谷折線、山折線、および主折線を設け、前記主折線で上下を直角に折り曲げることによって水平面図柄と垂直面図柄とを突設形成させる立体表示シートであって、前記立体表示シートは、前記水平面図柄を表示する複数の水平面展開要素と、前記垂直面図柄を表示する複数の垂直面展開要素を備え、前記水平面展開要素は、前記２つの切込線で挟まれ、谷折線と山折線または図柄端部とで囲まれ、前記垂直面展開要素は、前記２つの切込線で挟まれ、図柄端部または山折線と谷折線とで囲まれることを特徴とする。
【０００９】
本願の第２の考案は、第１の考案の立体表示シートにおいて、前記垂直面図柄は、カレンダーを形成することを特徴とする。
【００１０】
本願の第３の考案は、前記水平面図柄および垂直面図柄は、異なる図柄で形成されることを特徴とする。
【００１１】
本願の第４の考案は、第１の考案の立体表示シートにおいて、前記主折線は、前記水平面図柄の幅と垂直面図柄の高さとを等分または所定比に分割することを特徴とする。
【考案の効果】
【００１２】
第１の考案によれば、水平面図柄を形成する水平面展開要素と垂直面図柄を形成する垂直面展開要素を１枚の立体表示シート上に混在配置させ、この立体表示シートを前記主折線から直角に折り曲げることによって、真正面から見たときと、真上から見たときとでは異なる図柄を表示することができる。
【００１３】
第２の考案によれば、垂直図柄を、カレンダーとして利用することができる。
【００１４】
第３の考案によれば、主折線は、水平面図柄と垂直面図柄は、異なる図柄で形成されるために、直角に折り曲げられた立体表示シートを真正面から見たときと真上から見たときとでは異なった図柄を見ることができる。
【００１５】
第４の考案によれば、立体表示シートの主折線は水平面図柄の幅と垂直面図柄の高さとを等分または所定比に分割するので、立体表示シートを直角に折り曲げたときに、水平面図柄の幅と垂直面図柄の高さを自由に選べるので、種々の図柄を取り込むことができる。
【考案を実施するための最良の形態】
【００１６】
[第１の実施形態]
図１は、本考案の第１の実施形態に係る立体表示シートの平面図である。立体表示シートとは、平面状のシートに、切込線、谷折線、山折線、および主折線を設けて、立体パターンを形成することができる複数の水平面展開要素と複数の垂直面展開要素を備えたもので、例えば、やや厚めの上質紙やプラスチックシート等で形成される。図２は、立体表示シート上に展開する水平面図柄および垂直面図柄を示す平面図であり、図２（ａ）は、真上から見たときに表示される、例えば円形の水平面図柄４であり、図２（ｂ）は、真正面から見たときに表示される、例えば、三角形の垂直面図柄５である。
【００１７】
図１に示すように、立体表示シート１の平面上に、展開要素１０が形成される。この展開要素１０は、図２に示した水平面図柄４と垂直面図柄５とを立体的に表示させるため、水平面図柄４を表示する複数の水平面展開要素２と、垂直面図柄５を表示する複数の垂直面展開要素３とから形成される。展開要素１０には、切込線６、谷折線７、山折線８、および主折線９が設けられている。この展開要素１０を主折線９で直角に折り曲げることによって水平面図柄４と垂直面図柄５とを突設形成させることができる。
【００１８】
立体表示シート１は、展開要素１０の縦方向に１８行、および横方向に１８列からなる３２４個の展開単位要素１１を備えている。このうち縦方向の１８行は、主折線９の上方に１０行、下方に８行が設けられている。水平面図柄４の展開要素２は、２つの切込線６の間において、谷折線と山折線または図柄端部とで囲まれている。
【００１９】
垂直面図柄５の展開要素３は、２つの切込線６の間において、前記２つの切込線で挟まれ、図柄端部または山折線と谷折線とで囲まれている。
【００２０】
切込線６は実線、谷折線７は長破線で示され、山折線８は短破線で示され、主折線９は破線で示される。なお、主折線９は立体表示シートの中央付近に水平線で表される。
【００２１】
図３は、図１に示す立体表示シートを展開して、立体パターンを突設形成させた斜視図である。
【００２２】
図３に示すように、展開要素１０には、切込線６に沿って垂直方向に切込みが入れられている。展開要素１０の左上方の図柄端部１０ａから下方へ、例えば、縦に６個、横に２個の領域に垂直面展開要素３が設けられ、その下辺が谷折線７ａである。この谷折線７ａから手前へ５個、横に２個の領域に水平面展開要素３が設けられ、その前端辺が山折線８ａである。この山折線８ａから下方へ、縦に４個、横に２個の領域に垂直面展開要素２が設けられ、その下辺が谷折線７ｂである。この谷折線７ｂから手前へ３個、横３個の図柄端部１０ｃの領域が水平面展開要素３である。このようにして展開要素１０の図柄端部１０ａから下方へ向かって谷折線７ｃ，７ｄ，７ｅ，・・・、および山折線８ｂ，８ｃ，８ｄ，・・・に沿って、谷折れ、山折れを交互に繰り返して、立体パターンが突設展開されて、円形の図柄４と三角形の図柄５がそれぞれの水平面および垂直面に表示される。
【００２３】
図４は、単位要素が展開された立体表示シートを真正面から見た面を示し、図５は、単位要素が展開された立体表示シートを真上から見た面を示している。このように、展開単位要素１１を展開することによって、真上から見たときは、左右に２個並んだ円形の図柄４を見ることができ、真正面から見たときは、左右に２個並んだ三角形の図柄５を立体的に見ることができる。
【００２４】
また、立体表示シートには、水平面と垂直面に表示する図柄を混在させて配置することによって、いろいろな図柄を立体パターンに構成することができる。
[第２の実施形態]
図６は、本考案の第２の実施形態の立体表示シートを示す平面図であり、この立体表示シートに突設形成させる展開要素を備えている。
【００２５】
第２の実施形態と第１の実施形態との異なる点は、第２の実施形態では垂直面にカレンダーの数字を表示させた点である。なお、第２の実施形態において、第１の実施形態と重複する部分は同符号を付して、その説明は省略する。
【００２６】
図６は、水平面図柄に花の絵を配置し、垂直面図柄にカレンダーを配置した立体表示シート２１を示す図である。図６において、垂直面展開要素１２には、カレンダーの日付が表示され、水平面展開要素１４には、花の柄が表示されている。立体表示シート２１の上方には、月を示す数字が表示され、その下方の左右方向には、曜日を示す文字が表示される。そして、その曜日に合致した位置にカレンダーの数字が表示される。
【００２７】
図７は、第２の実施形態の立体表示シートを展開し、斜め上から見たときの斜視図である。図８は、単位要素が展開された立体表示シートを真正面から見た面を示し、図９は、単位要素が展開された立体表示シートを真上から見た面を示している。このように、展開単位要素を展開することによって、真正面から見たときは、カレンダーが表示され、真上から見たときは、花柄の図柄を見ることができる。
【００２８】
なお、本考案はその技術思想の範囲内で種々の改造、変更が可能である。例えば、本考案の実施形態では、展開要素１０を縦に１８行、横に１８列の展開単位要素から構成されるとしたが、特にこれに限定するものではなく、展開要素の行と列の数は適宜増減することができる。
【００２９】
また、切込線、谷折線、および山折線の位置についても、本実施の形態に限るものではなく、立体パターンに従って、位置を変更しても構わない。
【図面の簡単な説明】
【００３０】
【図１】第１の実施形態に係る立体表示シートの平面図であり、真上からみた図柄と、真正面から見た図柄が混在して各要素に割り当てられた様子を示している。
【図２】第１の実施形態において、立体パターンに表示される図柄を示す図であり、（ａ）は、真上から見たときの図柄、例えば、２つの丸であり、（ｂ）は、真正面から見たときの図柄、例えば、２つの三角である。
【図３】第１の実施形態の立体表示シートの各展開要素を展開して、突設形成させた状態の斜視図である。
【図４】第１の実施形態の立体表示シートを展開し、正面から見たときの図である。
【図５】第１の実施形態の立体表示シートを展開し、真上から見たときの図である。
【図６】第２の実施形態の立体表示シートの平面図である。
【図７】第２の実施形態の立体表示シートを展開し、斜め上から見たときの斜視図である。
【図８】第２の実施形態の立体表示シートを展開し、正面から見たときの図である。
【図９】第２の実施形態の立体表示シートを展開し、真上から見たときの図である。
【図１０】従来例に係る折り畳みシートの構成図である。
【符号の説明】
【００３１】
１,２１    立体表示シート
２,２２    水平面展開要素
３,２３    垂直面展開要素
４          水平面図柄
５          垂直面図柄
６,２６    切込線
７,２７    谷折線
８,２８    山折線
９,２９    主折線
１０    展開要素
１０ａ,１０ｂ,１０ｃ,１０ｄ    図柄端部
１１    展開単位要素
１３    カレンダー
【図１】
0003115536.tif 000003
【図２】
0003115536.tif 000004
【図３】
0003115536.tif 000005
【図４】
0003115536.tif 000006
【図５】
0003115536.tif 000007
【図６】
0003115536.tif 000008
【図７】
0003115536.tif 000009
【図８】
0003115536.tif 000010
【図９】
0003115536.tif 000011
【図１０】
0003115536.tif 000012